(57)【要約】      （修正有）【課題】迅速に組立て、分解可能な定位構造を通して、使用者は芳香剤を便利に交換でき、芳香器を任意の方位において使用可能で、また夜間に使用することができるナイトランプ芳香器を提供する。【解決手段】外殻体１０、回路基板２０、発光装置３０、液体芳香剤４０、嵌接部品５０を備える。外殻体１０は底板部品１１とサポート壁１２により構成する収容設置空間１３を設置し、上方には上蓋体１５を設置して封鎖し、片側には環状定位部品１６を延伸し、底部には電源供給コンセント１４を設置する。回路基板２０は収容設置空間１３に設置する。発光装置３０は収容設置空間１３内部に設置し、貫通孔１２１から外部へと投射し、回路基板２０と電気的に連接する。液体芳香剤４０には、対応シート４１を設置し、嵌接部品５０は、液体芳香剤４０上方に接触し、環状定位部品１６と組合せる。【選択図】図３
0003152432.tif 000002
【実用新案登録請求の範囲】
【請求項１】
外殻体、回路基板、発光装置、液体芳香剤、嵌接部品を備え、
前記外殻体は、底板部品、及び前記底板部品周囲に環状に設置するサポート壁を備え、前記底板部品と前記サポート壁は共同で、開口構造を備える収容設置空間を形成し、
前記底板部品底部は、外側へと延伸して設置する電源供給コンセントを備え、
前記サポート壁は、外周に、中通孔を備える環状定位部品、及び前記収容設置空間と連通する貫通孔を備え、
前記収容設置空間上方には、前記サポート壁頂点端に接触し、開口構造の大きさに対応する上蓋体を設置し、
前記回路基板は、前記外殻体の収容設置空間内部に設置し、前記電源供給コンセントと電気的に連接し、
前記発光装置は、前記収容設置空間内部に設置し、前記貫通孔により、外部へと投射され、前記回路基板と電気的に連接し、
前記液体芳香剤は、前記環状定位部品構造に対応する対応シートを設置し、前記対応シートの大きさは、前記中通孔の孔径より大きく、前記環状定位部品上方に接触し、
前記嵌接部品は、前記環状定位部品に対応する中通孔を設置し、前記液体芳香剤上方に接触し、前記環状定位部品と組立て、前記液体芳香剤を前記環状定位部品と前記嵌接部品との間に挟んで定位することを特徴とするナイトランプ芳香器。
【請求項２】
請求項１記載のナイトランプ芳香器において、前記サポート壁は、前記環状定位部品下方に、１個以上の通風口を設置し、前記サポート壁の通風口の相対側には、１個以上の対応通風口を設置することを特徴とするナイトランプ芳香器。
【請求項３】
請求項２記載のナイトランプ芳香器において、前記回路基板はさらに、加熱ユニット、ファンユニットを電気的に連接し、
前記加熱ユニットは、前記収容設置空間内部の空気の温度を上昇させ、
前記ファンユニットは、前記対応通風口外側の空気を、前記収容設置空間内へと吸入し、前記収容設置空間内部の空気は、前記通風口から排出されることを特徴とするナイトランプ芳香器。
【請求項４】
請求項１記載のナイトランプ芳香器において、前記底板部品は、１組の第一螺接孔と、１組の第二螺接孔を設置し、
前記回路基板は、前記第一螺接孔位置に、１組の第一ネジを設置して螺接し、
前記上蓋体は、前記第二螺接孔の底面位置に対応して、１組の第三螺接孔を設置し、１組の第二ネジにより、前記底板部品と組み立てて固定することを特徴とするナイトランプ芳香器。
【請求項５】
請求項１記載のナイトランプ芳香器において、前記サポート壁は、前記貫通孔の対応位置に、前記底板部品へと延伸して連接する定位部品を設置し、
前記定位部品は、前記発光装置に対応して、係合して固定することを特徴とするナイトランプ芳香器。
【請求項６】
請求項１記載のナイトランプ芳香器において、前記環状定位部品は、第一環状壁を設置し、前記第一環状壁には、第二環状壁を突出して設置し、
前記嵌接部品は、前記環状定位部品に対応して、環状嵌部を設置し、
前記環状嵌部底面には、前記第二環状壁に対応して嵌設する嵌接壁を延伸し、底部には前記サポート壁位置に対応して、係合凹槽を設置し、
前記嵌接壁内側面には、前記第二環状壁底部に係合する、複数の突出係合ほぞを設置することを特徴とするナイトランプ芳香器。
【請求項７】
請求項６記載のナイトランプ芳香器において、前記環状定位部品は、前記サポート壁頂点端に設置し、前記貫通孔は、前記環状定位部品下方に設置することを特徴とするナイトランプ芳香器。
【請求項８】
請求項１記載のナイトランプ芳香器において、前記回路基板はさらに、光感知スターターを設置し、
前記光感知スターターは、前記収容設置空間内部の頂点端に位置し、前記上蓋体底面に接触し、
前記上蓋体は、前記光感知スターター内の対応位置に、光透過構造を設置することを特徴とするナイトランプ芳香器。
【請求項９】
請求項１記載のナイトランプ芳香器において、前記発光装置は、発光ダイオードで、
前記発光ダイオードは、発光源、１組の電気接点を設置し、
前記発光源は、前記貫通孔内部に嵌設して定位し、
前記電気接点は、前記回路基板と電気的に連接することを特徴とするナイトランプ芳香器。
【請求項１０】
請求項１記載のナイトランプ芳香器において、前記対応シートは、上シート、及び前記上シート周囲と接合する下シートを設置し、
前記上シートと前記下シートとの間には、液体貯蔵空間を形成し、前記液体貯蔵空間内部には、液体エッセンシャルオイルを収容することを特徴とするナイトランプ芳香器。
【考案の詳細な説明】
【技術分野】
【０００１】
本考案は密封式液体芳香剤を使用する芳香器構造に関し、特に液体芳香剤を便利に交換でき、夜間発光機能をも備えるナイトランプ芳香器に関する。
【背景技術】
【０００２】
社会の進歩に従い、物質的或いは精神的に、人々は生活の質を重視するようになっている。そのため、寝室、オフィス、家庭内、車内など生活の場にはほとんど必ず、空調設備があり、或いは芳香剤、電気芳香器、アロマオイルなどを使用し、室内の異臭を消去し、空気に香りを加えている。
【０００３】
日常生活で通常、目にする芳香器の作用は、使用者に芳しい空気を提供することである。伝統的な芳香器の構造はおよそ、自然揮発式、電熱式、燃焼加熱式に分けられる。一般的な自然揮発式の芳香器は、容器内部に液体芳香剤を収容し、容器の開口部に底部へと延伸する細長い吸芯、綿芯、或いはセラミック体などを設置し、液体芳香剤と吸芯の毛細作用により、芳香液体を容器内吸芯から、容器開放部吸芯へと伝送するものである。芳香液体と外界の空気が接触することで、香りの揮発作用を生じ、こうして芳しい空気が発生する。しかし、この種の自然揮発式芳香器は、ある程度の使用時間の経過後は、芳香液体の減少により、吸芯の毛細作用効力が低下し、同時に方向効果も悪化する。
【０００４】
一方、電熱式、及び燃焼加熱式芳香器は、電熱原理を利用し液体芳香剤を加温することで、芳香液体が揮発して微小空気分子になる速度を速め、これにより芳香分子は、迅速に空気を結合するものである。該構造では、伝統的な自然揮発式の芳香器のように、一定時間の使用によって、効力が低下するという問題は起きない。但し、電熱原理を利用する芳香液体は、完全に密封されている訳ではないため、芳香容器を、水平或いは倒立方式に置いて使用する必要がある時には、内部の芳香液体が流出してしまうという問題がある。すなわち、上記のような使用形態における制限があるため、伝統的な電熱式及び燃焼加熱式芳香器は、垂直においてしか使用することができない。
【０００５】
さらに、自然揮発式、或いは電熱式芳香器ともに、一般には芳香の効果だけを備え、一切の発光構造を備えないため、夜間の使用において、しばしば困難が生じる。上記した燃焼加熱式では、燃焼による光の付帯効果はあるが、火を用いるため、芳香器の使用において、安全性の問題がある。すなわち、使用者の操作における不注意で、火災の発生を招く恐れがある。
伝統的な自然揮発式、電熱式、或いは燃焼加熱式の芳香器の上記した欠点に鑑みてなされたものである。
【考案の概要】
【考案が解決しようとする課題】
【０００６】
本考案の主なの目的は、芳香器は任意の方位において使用することができ、組立て、分解を迅速に行なうことができる定位構造により、使用者は簡単に芳香剤を交換でき、同時に芳香器内には、発光構造を設置するため、夜間或いは暗いところでは発光させて使用することができる密封式芳香剤を備える芳香器構造であるナイトランプ芳香器を提供することである。
本考案の次の目的は、芳香器内部に、温度上昇及び対流の構造を増設し、これにより芳香器の液体芳香剤は、加熱により温度が上昇し、こうして芳香器の芳香効果を向上させることができるナイトランプ芳香器を提供することである。
【課題を解決するための手段】
【０００７】
上記目的を解決するため、本考案は下記のナイトランプ芳香器を提供する。
ナイトランプ芳香器は、外殻体、回路基板、発光装置、液体芳香剤、嵌接部品を備え、  該外殻体は、底板部品、及び該底板部品周囲に環状に設置するサポート壁を備え、該底板部品と該サポート壁は共同で、開口構造を備える収容設置空間を形成し、
該底板部品底部は、外側へと延伸して設置する電源供給コンセントを備え、
該サポート壁は、外周に、中通孔を備える環状定位部品、及び該収容設置空間と連通する貫通孔を備え、
該収容設置空間上方には、該サポート壁頂点端に接触し、開口構造の大きさに対応する上蓋体を設置し、
該収容設置空間内部に設置する回路基板は、該電源供給コンセントと電気的に連接し、  該発光装置は、該収容設置空間内部に設置し、該貫通孔により、外部へと投射され、該回路基板と電気的に連接し、
該液体芳香剤は、該環状定位部品構造に対応する対応シートを設置し、該対応シートの大きさは、該中通孔の孔径より大きく、該環状定位部品上方に接触し、
該嵌接部品は、該環状定位部品に対応する中通孔を設置し、該液体芳香剤上方に接触し、該環状定位部品と組立て、該液体芳香剤を該環状定位部品と該嵌接部品との間に挟んで定位し、
該サポート壁は、該環状定位部品下方に、１個以上の通風口を設置し、該サポート壁の通風口の相対側には、１個以上の対応通風口を設置し、
該貫通孔の対応位置には、該底板部品へと延伸して連接する定位部品を設置し、
該回路基板はさらに、加熱ユニット、ファンユニットを電気的に連接し、
該加熱ユニットは、該収容設置空間内部の空気の温度を上昇させ、
該ファンユニットは、該対応通風口外側の空気を、該収容設置空間内へと吸入し、該収容設置空間内部の空気は、該通風口から排出され、
該底板部品は、１組の第一螺接孔と、１組の第二螺接孔を設置し、
該回路基板は、該第一螺接孔位置に、１組の第一ネジを設置して螺接し、
該上蓋体は、該第二螺接孔の底面位置に対応して、１組の第三螺接孔を設置し、１組の第二ネジにより、該底板部品と組み立てて固定し、
該環状定位部品は、がサポート壁頂点端に位置し、該貫通孔は、該環状定位部品下方に設置し、該環状定位部品は、第一環状壁を設置し、該第一環状壁には、第二環状壁を突出して設置し、
該嵌接部品は、該環状定位部品に対応して、環状嵌部を設置し、
該環状嵌部底面には、該第二環状壁に対応して嵌設する嵌接壁を延伸し、底部には該サポート壁位置に対応して、係合凹槽を設置し、
該嵌接壁内側面には、該第二環状壁底部に係合する、複数の突出係合ほぞを設置し、
該回路基板はさらに、光感知スターターを設置し、
該光感知スターターは、該収容設置空間内部の頂点端に位置し、該上蓋体底面に接触し、
該上蓋体は、該光感知スターター内の対応位置に、光透過構造を設置し、
該発光装置は、発光ダイオードで、
該発光ダイオードは、発光源、１組の電気接点を設置し、
該発光源は、該貫通孔内部に嵌設して定位し、
該電気接点は、該回路基板と電気的に連接し、
該対応シートは、上シート、及び該上シート周囲と接合する下シートを設置し、
該上シートと該下シートとの間には、液体貯蔵空間を形成し、該液体貯蔵空間内部には、液体エッセンシャルオイルを収容する。
【考案の効果】
【０００８】
本考案のナイトランプ芳香器は、環状定位部品と嵌接部品との嵌合及び分解により、使用者は芳香剤を便利に交換し使用することができる。また、密封式の対応シートにより、水平或いは倒立状態において液体芳香剤の流出を防止し、芳香器の使用性能を増強することができる。芳香器は通風口、対応通風口、加熱ユニット、ファンユニットを備え、これにより液体芳香剤は加熱により温度が上昇し、芳香液体が揮発して微小空気分子となる速度を速めることができ、こうして芳香分子は迅速に空気と結合し、芳香器の芳香効果を向上させることができる。
【図面の簡単な説明】
【０００９】
【図１】本考案最適実施例の立体図である。
【図２】図１の別の視角からの立体図である。
【図３】図１の断面図である。
【図４】本考案外殻体の分解概略図である。
【図５】本考案液体芳香剤と嵌接部品の分解概略図である。
【図６】本考案使用状態の断面概略図である。
【考案を実施するための形態】
【００１０】
図１、２、３、４に示すように、本考案ナイトランプ芳香器は、外殻体１０、回路基板２０、発光装置３０、液体芳香剤４０、嵌接部品５０を備える。回路基板２０と発光装置３０は、外殻体１０内部に設置し、液体芳香剤４０と嵌接部品５０は、外殻体１０上方に設置する。
【００１１】
外殻体１０は、底板部品１１を設置し、底板部品１１周囲には、上方へとサポート壁１２を延伸する。底板部品１１とサポート壁１２は、開口構造を備える収容設置空間１３を共に形成する。底板部品１１底部は、下方へと延伸して、外部の電源プラグと連接する電源供給コンセント１４を設置する。収容設置空間１３上方には、サポート壁１２頂点端に接触し、開口構造の大きさに対応する上蓋体１５を設置する。サポート壁１２片側辺位置には、環状定位部品１６を延伸して設置する。環状定位部品１６内部には、中通孔１６０を設置する。
最適実施例中では、底板部品１１上方に、回路基板２０を固定する第一定位構造１１１、及び上蓋体１５を固定する第二定位構造１１２を設置する。
【００１２】
図示の最適実施例中では、底板部品１１上方の第一定位構造１１１と第二定位構造１１２は、１組の第一螺接孔１１３と第二螺接孔１１４である。サポート壁１２は、環状定位部品１６下方に、貫通孔１２１を設置する。貫通孔１２１下方には、１個以上の相互に平行な通風口１２２を設置し、サポート壁１２の通風口１２２の相対側位置には、同様に、１個以上の相互に平行な対応通風口１２３を設置する。通風口１２２と、対応通風口１２３の構造により、収容設置空間１３内部の空気は対流する。サポート壁１２は、貫通孔１２１の対応する位置に、底板部品１１へと延伸して連接する定位部品１２４を設置する。定位部品１２４は、発光装置３０と対応して係合し、固定する。
【００１３】
最適実施例中では、上蓋体１５は、第二螺接孔１１４の底面位置に対応して、１組の第三螺接孔１１５を設置する。これにより、１組の第二ネジ１１７と底板部品１１は螺合して固定する。環状定位部品１６には、第一環状壁１６１を設置し、第一環状壁１６１頂点端には、第二環状壁１６２を突出して設置する。
【００１４】
回路基板２０は、第一定位構造１１１に対応して、収容設置空間１３内部に組立てられ、電源供給コンセント１４と電気的に連接する。回路基板２０には、加熱ユニット２１、ファンユニット２２、光感知スターター２３を設置する。加熱ユニット２１は、回路基板２０の中央に位置し、収容設置空間１３内部の空気温度を上昇させる。ファンユニット２２は、回路基板２０の対応通風口１２３端に位置し、対応通風口１２３外側の空気を、収容設置空間１３内へと吸入し、収容設置空間１３内部の空気を、通風口１２２から排出する。光感知スターター２３は、収容設置空間１３内部の頂点端に位置し、上蓋体１５の底面に接触する。
【００１５】
図示の最適実施例中では、回路基板２０は、１組の第一ネジ１１６により、第一螺接孔１１３に螺合して固定される。上蓋体１５は、光感知スターター２３の対応する位置に、光線を透過させる光透過構造１５１を設置する。光透過構造１５１により、光感知スターター２３は、外界環境の明るさを感知し、加熱ユニット２１とファンユニット２２を起動する。
【００１６】
図３、４に示すように、発光装置３０は、収容設置空間１３内部に設置し、貫通孔１２１より外へと投射し、回路基板２０と電気的に連接する。最適実施例中では、発光装置３０は、発光ダイオード(LED)３１で、発光ダイオード３１は、発光源３１１と、１組の電気接点３１２を設置する。発光源３１１は、貫通孔１２１内部に嵌設して定位し、電気接点３１２は、回路基板２０と電気的に連接する。発光ダイオード３１は、説明の便のために用いるに過ぎず、これに限定するものではない。
【００１７】
図３、５に示すように、液体芳香剤４０は、環状定位部品１６構造に対応する対応シート４１を設置する。対応シート４１のサイズは、中通孔１６０の孔径よりも大きく、環状定位部品１６上方に接触する。
【００１８】
図示の最適実施例中では、対応シート４１は、上シート４１１、上シート４１１周囲と接合する下シート４１２を設置する。上シート４１１と下シート４１２との間には、液体貯蔵空間４１３を形成する。液体貯蔵空間４１３内部には、揮発性の液体エッセンシャルオイル４１４を収容する。下シート４１２は、気体及び液体が外へ流出しないように防止する防護膜で、上シート４１１は、気体を外へと発散させ、液体の流出を防止する特殊なシートである。特殊シートの外表面には、気体の発散を防止する防護膜(図示なし)を設置する。
【００１９】
嵌接部品５０は、環状定位部品１６に対応する中通孔５１を設置し、液体芳香剤４０上方に接触し、環状定位部品１６と組み合わせ、液体芳香剤４０を、環状定位部品１６と嵌接部品５０との間に挟んで定位する。
【００２０】
図示の最適実施例中では、嵌接部品５０は、環状定位部品１６に対応して環状嵌部５２を設置する。環状嵌部５２底面には、第二環状壁に対応して嵌接する嵌接壁５３を延伸し、底部には、サポート壁１２位置に対応して、係合凹槽５４を設置する。嵌接壁５３内側面には、第二環状壁１６２に嵌設する複数の突出係合ほぞ５５を設置する。嵌接部品５０と環状定位部品１６との上下対応、嵌合により、使用者は液体芳香剤４０を便利に交換することができる。
【００２１】
図４〜６に示すように、本考案ナイトランプ芳香器の使用時には、先ず、嵌接部品５０を、環状定位部品１６上方から取り外し、環状定位部品１６上方に液体芳香剤４０を取り付けた後、液体芳香剤４０の上シート４１１表面の防護膜を剥がす。さらに、嵌接部品５０を再び、液体芳香剤４０と環状定位部品１６上方に嵌合して定位し、これにより、液体芳香剤４０は、環状定位部品１６と嵌接部品５０との間に定位される。最後に、芳香器の電源供給コンセント１４を、プラグに連接し、これにより回路基板２０に通電し、発光装置３０、加熱ユニット２１、ファンユニット２２を起動する。加熱ユニット２１を通して、収容設置空間１３内部の気体温度を上昇させ、さらに、通風口１２２、及び対応通風口１２３により、収容設置空間１３内部の熱空気を、液体芳香剤４０下方へと対流させる。これにより、液体芳香剤４０の温度を上昇させる。
液体芳香剤４０の温度が高くなればなるほど、その芳香効果は良好となる。
【００２２】
本考案のナイトランプ芳香器は、環状定位部品と嵌接部品との嵌合及び分解により、使用者は芳香剤を便利に交換し使用することができる。また、密封式の対応シートにより、液体芳香剤の流出を防止し、芳香器の使用性能を増強することができる。芳香器は通風口、加熱ユニット、ファンユニットを備え、液体芳香剤は加熱により温度が上昇し、芳香液体が揮発して微小空気分子となる速度を速めることができ、こうして芳香分子は迅速に空気と結合し、芳香器の芳香効果を向上させることができる。
【符号の説明】
【００２３】
１０  外殻体
１１  底板部品
１１１  第一定位構造
１１２  第二定位構造
１１３  第一螺接孔
１１４  第二螺接孔
１１５  第三螺接孔
１１６  第一ネジ
１１７  第二ネジ
１２  サポート壁
１２１  貫通孔
１２２  通風口
１２３  対応通風口
１２４  定位部品
１３  収容設置空間
１４  電源供給コンセント
１５  上蓋体
１５１  光透過構造
１６  環状定位部品
１６０  中通孔
１６１  第一環状壁
１６２  第二環状壁
２０  回路基板
２１  加熱ユニット
２２  ファンユニット
２３  光感知スターター
３０  発光装置
３１  発光ダイオード
３１１  発光源
３１２  電気接点
４０  液体芳香剤
４１  対応シート
４１１  上シート
４１２  下シート
４１３  液体貯蔵空間
４１４  液体エッセンシャルオイル
５０  嵌接部品
５１  中通孔
５２  環状嵌部
５３  嵌接壁
５４  係合凹槽
５５  突出係合ほぞ
【図１】
0003152432.tif 000003
【図２】
0003152432.tif 000004
【図３】
0003152432.tif 000005
【図４】
0003152432.tif 000006
【図５】
0003152432.tif 000007
【図６】
0003152432.tif 000008